(57)【特許請求の範囲】
【請求項１】
加熱調理器の外箱の上面開口に載置可能な調理用プレートであって、プレート本体の表面に水平な調理面が形成され、その調理面から一段下がった位置に多数の凹状の溝が連なって溝群が形成され、該溝群の底面の一部に調理面で発生した油汁を油ドレンや水槽等に流れ落とすための開口が形成され、前記溝群の底面は前記開口に向かって下り傾斜し、プレート本体の裏面側は、前記溝群の溝底の傾斜面に平行に傾斜して形成され、前記開口から落下する油汁が加熱源側に逆流するのを防止するために、第１の油汁逆流防護部が、前記開口から離れて配置された加熱源側に、プレート本体の裏面においてプレート本体の厚みを減じて断面ジグザグ状の凹凸部に形成されたことを特徴とする加熱調理器の調理用プレート。
【請求項２】
プレート本体の裏面において、第１の油汁逆流防護部よりも開口側で下方に突出する突起部からなる第２の油汁逆流防護部が形成された、請求項１に記載の加熱調理器の調理用プレート。
【請求項３】
調理面は、多数のリブ又は多数のドット状の突起から形成され、前記リブ又はドッド状の突起の間に前記溝群が形成され、前記開口から落下した油汁が加熱源に滴下しないよう、加熱源の配置に応じて、前記開口が、プレート本体の中央、あるいはプレート本体の外周部に配置されている、請求項１または２に記載の加熱調理器の調理用プレート。
【請求項４】
プレート本体の表面に複数のリブが突出して形成されるとともに平行に配列され、リブ天面により水平な調理面が形成され、複数のリブの間に凹状の溝が形成され、前記溝の延長方向に他の溝が形成されている、請求項１〜３のいずれかに記載の加熱調理器の調理用プレート。
【発明の詳細な説明】
【技術分野】
【０００１】
本発明は、電熱器、ガスバーナ等を熱源とする加熱調理器の調理用プレートに関するものである。
【背景技術】
【０００２】
従来、この種の調理用プレートとして、特許文献１には、焼肉調理中にケーシング内に垂れ落ちる油汁を確実に水槽内に誘導するため、全体が半球面状で、その外周縁より複数の小判状の開口を、その長手方向が球面の頂点に向かうように形成され、さらに、該開口と同様に配置された断面半円状の溝を複数有するようにし、調理用プレートを半球面状に形成し、調理時に発生する油汁を半球面状の調理用プレート面および溝から開口に確実に滴下するようにしている。
【先行技術文献】
【特許文献】
【０００３】
【特許文献１】特開２０００−３００４４３号公報
【発明の開示】
【発明が解決しようとする課題】
【０００４】
しかしながら、この種の調理用プレートにおいて、外観上からも調理面を半球面状ではなく、フラットな平面状に形成して、かつ油汁を効率良く開口から滴下する構造とし、その際、油汁を加熱源に滴下させずに油ドレンや水槽に確実に回収できる構造の調理用プレートの出現が望まれている。
【０００５】
本発明は、上記に鑑み、外観上調理面がフラットな調理用プレートにおいて、油汁を効率よく開口から滴下して、油汁を加熱源に滴下させず、かつ油汁を水槽等に確実に入るようにすることができる加熱調理器の調理用プレートの提供を目的とするものである。
【課題を解決するための手段】
【０００６】
上記目的を達成するため、本発明においては、加熱調理器の外箱の上面開口に載置可能な調理用プレートであって、プレート本体の表面に水平な調理面が形成され、その調理面から一段下がった位置に多数の凹状の溝が連なって溝群が形成され、該溝群の底面の一部に調理面で発生した油汁を油ドレンや水槽等に流れ落とすための開口が形成され、前記溝群の底面は前記開口に向かって下り傾斜している。
【０００７】
フラットな調理面において、加熱時に焼肉等の被調理物から発生する油汁を油ドレンパンや水槽に確実に落とすことが大きな課題となっている。この課題を解決するため、まず、水平な調理面から一段下がった位置に多数の凹状の溝を連なって形成する。この多数の連なった溝を溝群と称する。この溝群に油汁を滴下することにより、水平な調理面には油汁が残らず、肉が油汁で茹で上がる等の不具合がなくなり、美味しい被調理物を調理することができる。
【０００８】
この溝群に流れ落ちた油汁は、溝群の一部に形成された開口から油ドレンパンや水槽内に垂れ落ちる。しかし、溝群の溝底が水平に形成されている場合、溝群に溜まった油汁が確実に開口に向かうとは限らない。溝群の溝底を開口に向かって下り傾斜にすれば、重力の作用で油汁が確実に開口に向かい、開口から下方に滴下する。
【０００９】
この溝群の配置及び調理面は、加熱調理器および調理用プレートの形状によって、種々選択することができる。まず、調理面としては、多数のリブ又は多数のドット状の突起が挙げられる。リブとして、曲線状のものや直線状のもののいずれであってもよい。直線状のリブを間隔をおいて平行に配列すれば、格子状のリブとなる。リブの向きは、一つの調理面において、複数の領域に分けて、各領域で異なる方向に配列した態様であってもよい。多数のドット状の突起は、それぞれ円柱状や角柱状のいずれであってもよい。これらの多数のリブ又はドット状の突起との間に多数の溝が形成される。多数のリブおよび多数の突起は、被調理物を調理するのに適した数量であればよく、また、リブの幅および長さや、突起の径も同様に被調理物を調理するのに適したものであればよい。さらに、これらのリブあるいは突起間に形成される溝群も、油汁が滴下して開口に向かって流れ落ちる態様であればよい。
【００１０】
加熱調理器の外箱が有底直方体の場合、その上面開口に載置する調理用プレートの形状は、平面視で矩形である。また、加熱調理器の外箱が有底円筒形の場合、その上面開口に載置する調理用プレートは、平面視で円形である。
【００１１】
調理面は、多数のリブ又はドット状の突起から形成され、これらのリブ又はドッド状の突起の間に溝群が形成される。そして、開口から落下した油汁が加熱源に滴下しないよう、加熱源の配置に応じて、前記開口が、プレート本体の中央、あるいはプレート本体の外周部に配置される。
【００１２】
多数のリブ群および多数のドット状の突起群は、全体としてほぼ水平に形成され、水平な調理面が形成される。これらのリブ又は突起の間に前記溝群が形成され、前記開口から落下した油汁が加熱源に滴下しないよう、加熱源の配置に応じて、開口が、プレート本体の中央、あるいはプレート本体の外周部に配置されている。勿論、この場合も、溝群の溝底は開口に向かって下り傾斜している。
【００１３】
また、プレート本体の裏面側は、溝群の溝底を形成する肉厚がほぼ同じくなるように溝底の傾斜面と平行に傾斜して形成されている。開口に向かって下り傾斜している調理用プレートの裏面側では、本来、開口から下方に滴下した油汁が加熱源側に向かって逆流するおそれが少なくなる。
【００１４】
ただ、調理用プレートが鋳造品であり、その鋳肌が粗面であることや、油汁の表面張力により、油汁が調理用プレートの裏面側の傾斜面を遡るよう逆流するおそれがある。そこで、開口から落下する油汁が加熱源側に逆流するのを防止する油汁逆流防護部を設け、確実に油汁の逆流を防止する。
【００１５】
その油汁逆流防護部の一つとして、プレート本体の裏面において、開口よりも加熱源側に形成された断面ジグザグ状の凹凸からなる第１の油汁逆流防護部を設ける。このジグザグ状の凹凸からなる第１の油汁逆流防護部により、油汁の逆流を確実に防止する。このジグザグ状の凹凸は、円形の調理用プレートの場合、プレート本体の中心の周囲に同心状に形成し、プレート本体の中央あるいは外周のいずれかに設けた開口に油汁が逆流するのを防止する。
【００１６】
プレート本体の裏面がフラットな場合に比べて、ジグザグ状の凹凸からなる油汁逆流防護部を形成すると、裏面側の表面積が大きくなるため、加熱源である電熱器からの輻射やガスバーナによる対流に対して受熱面積を大きくすることができ、効率のよい加熱調理が可能となる。
【００１７】
また、油汁逆流防護部として、プレート本体の裏面において、第１の油汁逆流防護部よりも開口側で下方に向かって垂下する第２の油汁逆流防護部を設ける。これにより、開口から下方に向かう油汁が堰き止められ、第２の油汁逆流防護部の先端から確実に落下させることができる。
【発明の効果】
【００１８】
本発明によると、外観上調理面が水平な調理用プレートにおいて、多数の溝群を開口に向かって下り傾斜にて形成しているので、この溝群に油汁を滴下することにより、調理面には油汁が残らず、美味しい調理が可能となる。この際、プレート本体の裏面側は、溝群の溝底を形成する肉厚がほぼ同じくするように溝底の傾斜面と平行に傾斜しているので、開口から滴下する油汁が、プレート本体の裏面側で加熱源側へ逆流するのを防止することができる。さらに、油汁逆流防護部を設けているので、開口から滴下した油汁を加熱源側に流れるのを確実に防止することができる。そのため、熱源が電気ヒータ類の場合、油汁の滴下による熱源の汚れにより放射が妨げられ、あるいは電極面が汚損し腐食するのを抑制することができる。また、熱源がガスバーナの場合、炎孔の詰まりや腐食を抑止することができる。したがって、加熱調理器としての熱効率を維持することができると共に、加熱調理器の信頼性を向上させ、寿命を延ばすことができる。
【図面の簡単な説明】
【００１９】
【図１】本発明に係る加熱調理器の第１の実施形態である中央に開口を有する矩形調理用プレートの平面図である。
【図２】同じくその底面図（裏面図）である
【図３】同じくその正面図である。
【図４】同じく調理用プレートを拡大した側面断面図である。
【図５】第２の実施形態である外側に開口を有する矩形調理用プレートであって、同図（ａ）は表面側の斜視図、（ｂ）は裏面側の斜視図である。
【図６】第３の実施形態である中央に開口を有する円形調理用プレートであって、同図（ａ）は表面側の斜視図、（ｂ）は裏面側の斜視図である。
【図７】第４の実施形態である外側に開口を有する円形調理用プレートであって、同図（ａ）は表面側の斜視図、（ｂ）は裏面側の斜視図である。
【図８】第５の実施形態である中央に開口を有する円形調理用プレートであって、同図（ａ）は表面側の斜視図、（ｂ）は裏面側の斜視図である。
【図９】第６の実施形態である外側に開口を有する円形調理用プレートであって、同図（ａ）は表面側の斜視図、（ｂ）は裏面側の斜視図である
【図１０】第７の実施形態である中央に開口を有する円形調理用プレートであって、同図（ａ）は表面側の斜視図、（ｂ）は裏面側の斜視図である。
【図１１】第８の実施形態である外側に開口を有する円形調理用プレートであって、同図（ａ）は表面側の斜視図、（ｂ）は裏面側の斜視図である。
【発明を実施するための最良の形態】
【００２０】
本発明の実施形態を図面に基づいて説明する。
【００２１】
＜第１の実施形態＞
この実施形態に係る加熱調理器１は、図１〜図４に示すように、直方体形状の外箱２の上面開口に平面視で矩形の調理用プレート３が載置されている。外箱２内には、調理用プレート３の後述する開口８から落下した油汁を溜める水槽又は油ドレンパン（共に図示せず）が設けられている。
【００２２】
調理用プレート３は、矩形のプレート本体４を備えている。プレート本体４の表面側は、中央部の矩形の調理面４ａと、調理面４ａの周囲に設定され調理済の被加熱物を一時的に載置する載置面４ｂとを備えている。プレート本体４の表面にほぼ水平な調理面４ａが形成されている。プレート本体４の調理面から一段下がった位置に多数の凹状の溝５ａが連なって溝群５が形成され、該溝群５の底面の一部に調理面で発生した油汁を油ドレンや水槽等に流れ落とすための開口６が形成され、溝群５の底面は前記開口６に向かって下り傾斜している。
【００２３】
調理面４ａには、複数の直線状のリブ７が上方に突出されると共に左右方向で互いに平行に配列される。リブ７を跨いで形成されるリブ天面は、周囲の載置面４ｂよりもわずかに下がった位置に配置されるが、リブ７全体では、水平でフラットな調理面４ａとなっている。
【００２４】
複数のリブ７の間には、前記の多数の凹状の溝５ａが形成されることになる。各溝５ａは、図１に示すように、リブ７の前後方向長さに合わせて前後方向に長く形成される。また、複数の溝５ａは、リブ７間に形成されているので、左右方向に互いに平行に間隔をおいて配列されている。各溝５ａの溝幅は、概ね５ｍｍ−１０ｍｍとされ、また、各溝５ａの間隔、つまりリブ７の横幅は概ね５ｍｍ〜１０ｍｍ程度とされている。そして、溝５ａの前後方向の端部同士が互いに繋がってプレート本体４の載置面４ｂとの間に外周溝８を形成するようになっている。
【００２５】
各溝５ａには、その底面の一部に調理面で発生した油汁を油ドレンパンや水槽等に流れ落とすための長孔状の開口６が形成されている。本例では、図１に示すように、加熱源９となるガスバーナがプレート本体４の外周部に環状に配置されているので、開口６は、プレート本体４の中央部に配置されている。この開口６は、プレート本体４の前後方向の長さに対して約１／４程度の長さに設定されており、その孔幅は溝５ａとほぼ同じ幅に設定されている。このように、開口６をプレート本体４の中央に配置したので、開口６から滴下した油汁が、プレート本体４の外周部側に配置したガスバーナ等の加熱源９に流れてガスバーナに接触するのを極力防止することができる。
【００２６】
溝５ａは、直線状に形成されており、その溝底５ｂは、図４に示すように、前後方向から中央の開口６に向かって下り傾斜し、被調理物から溝５ａに垂れ落ちた油汁を開口６に効率良く導くようになっている。
【００２７】
一方、プレート本体４の裏面側１０は、溝５ａの溝底５ｂを形成する肉厚がほぼ同じになるように溝底５ｂの傾斜面と平行に傾斜して形成される。すなわち、プレート本体４の調理面４ａの裏面側１０は、中央の開口６に向かって前後方向で下り傾斜した傾斜面となっている。
【００２８】
図２に示すように、プレート本体４の裏面側１０において、多数の開口６の前後両側の夫々には、開口６から落下する油汁が加熱源側に逆流するのを防止する各々２条の突起部１１，１２（第２の油汁逆流防護部）がプレート本体４の裏面から下方に突出形成されている。これらの突起部１１，１２は、プレート本体４の四隅に形成された脚１３の高さと同じ高さまで突出されている。２条の突起部１１，１２は、概ね１０ｍｍ程度の間隔をおいて前後方向で平行に配置され、調理面４ａの左右両側で互いに連結されている。
【００２９】
さらに、図４に示すように、プレート本体４の裏面において、突起部１１，１２よりも加熱源側の前後方向に断面ジグザグ状の凹凸部１５（第１の油汁逆流防護部）が形成されている。この凹凸部１５は、プレート本体４の裏面において、開口８側に下向きに傾斜した傾斜面に多数の凹凸が左右方向に長く形成された態様となっているため、油汁がたとえ逆流しようとしても傾斜面１０によって油汁の逆流が防止され、かつ途中の凸部の先端から下方に垂れ落ちるようになっている。
【００３０】
また、プレート本体４の調理面４ａの裏面側四隅には、調理用プレート３を上下に重ねて保管できるようにスタッキング用の突起１６が形成され、この突起１６が下側の調理用プレート３の調理面４ａの外周溝８に嵌り合うようになっている。
【００３１】
上記構成において、プレート本体４の水平な調理面４ａで、肉等の被調理物を加熱調理する場合、天面がフラットで水平なリブ７上で被調理物を加熱調理する。そうすると、リブ７に接している被調理物は、リブ７からの伝熱により線状の焼き痕が付く。また、リブ７間には複数の溝条５ａからなる溝群５が形成されており、溝底５ｂが傾斜した溝５ａの最低部に開口６が形成されているので、調理面４ａで発生した油汁は溝５ａの溝底５ｂの傾斜面を素早く滑り落ち、確実に開口６から落下する。そのため、被調理物が油汁で茹で上がることなく、油切れがよくなるので、美味しい被調理物を提供することができる。
【００３２】
また、溝５ａの傾斜に沿って開口８から落下する油汁は、下方に滴下する。開口６はプレート本体４の中央に位置し、プレート本体４の外周側に位置する加熱源９から離れているので、油汁が加熱源９に落下するのを防止することができる。しかも、調理面４ａの裏面側１０では、中央の開口６に向かって下り傾斜しているので、油汁が加熱源９側に向かって逆流するおそれは少ない。
【００３３】
さらに、プレート本体４の裏面側１０において、開口６の前後両側には、油汁逆流防止用の突起部１１，１２が下方に突出されているので、鋳造製のプレート本体４の鋳肌の粗面により、油汁がその表面張力の作用により下り傾斜面を逆流したとしても、突起部１１，１２により、確実に油汁の逆流を防止することができる。
【００３４】
さらに、プレート本体４の裏面側１０において、突起部１１，１２よりも加熱源９側に断面ジグザグ状の凹凸部１５を形成しているので、突起部１１，１２と共に確実に油汁が加熱源９側に流れるのを防止して、下方に落下させることができる。また、このジグザグ状の凹凸部１５により、フラットな場合に比べて裏面側１０の表面積が大きくなるため、加熱源９である電熱器からの輻射やガスバーナによる対流に対して受熱面積を大きくすることができ、効率のよい加熱調理が可能となる。
【００３５】
＜第２の実施形態＞
図５は外周側に開口を有する矩形の調理用プレートであって、同図（ａ）は表面側の斜視図、（ｂ）は裏面側の斜視図である。この例では、プレート本体４の調理面には、複数の直線状のリブ７が上方に突出されると共に左右方向で互いに平行に配列される。各リブ７間にはそれぞれ溝５ａが形成されている。これらの溝５ａは、プレート本体４の前後方向の中間に位置する中心線Ｃを挟んで前後両側の溝底５ｂが外周側に向かって下り傾斜している。そして、溝５ａの外周側にそれぞれ長孔状の開口６が形成された態様となっている。この調理用プレート３は、プレート本体４の前後方向の中央にある中心線Ｃに沿って直線状の電熱器等の加熱源を有する加熱調理器の外箱に載置して使用するのが好ましい。
【００３６】
この調理用プレート３は、ほぼ全面を調理面４ａとしている。プレート本体４の裏面側１０は、中心線Ｃを頂点にして前後方向に下り傾斜（傾斜角α）している。また、開口６から滴下した油汁が中央の加熱源側に向かうのを防止するために、開口６よりも内側には段差状に突起部１１が形成されており、さらに、その中心側には断面ジグザグ状の凹凸部１５が形成されている。
【００３７】
上記構成において、プレート本体４の水平な調理面４ａで、肉等の被調理物を加熱調理する場合、天面がフラットで水平な多数のリブ７上で被調理物を加熱調理する。リブ７間には複数の溝５ａからなる溝群５が形成されており、溝底５ｂが外周側に下り傾斜し、その溝５ａの最低部に開口６が形成されているので、調理面４ａで発生した油汁は溝５ａの溝底５ｂの傾斜面を素早く滑り落ち、確実に開口６から落下する。
【００３８】
開口８から落下する油汁は下方に滴下するが、開口６がプレート本体４の外周側に位置し、プレート本体４の中央側に位置する加熱源から離れているので、油汁が加熱源に落下するのを防止することができる。しかも、プレート本体４の裏面側１０には、外周側の開口６に向かって下り傾斜しているので、油汁が加熱源側に向かって逆流するおそれが少ない。万一、油汁が逆流しても、開口６よりも前後方向で中央側には、逆流防止用の突起部１１と断面ジグザグ状の凹凸部１５を有しているので、確実に油汁が加熱源側に流れるのを防止して、下方に落下させることができる。
【００３９】
＜第３の実施形態＞
図６は中央に開口を有する円形の調理用プレートであって、同図（ａ）は表面側の斜視図、（ｂ）は裏面側の斜視図である。この円形の調理用プレート３は、円筒形の外箱の上面開口に載置され、加熱調理器の一部を構成する。円形の調理用プレート３は、プレート本体４の中央に開口６を有しており、加熱源がプレート本体４の外周に沿って配置されている加熱調理器に適用可能である。
【００４０】
プレート本体４は、円形状の開口６を通る中心線Ｃを中心として左右両側が中心線Ｃに向かって下り傾斜する態様となっている。プレート本体４の調理面４ａには、中心線Ｃを挟んで左右両側に複数の直線状のリブ７が上方に突出されると共に互いに平行に配列される。各リブ７間にはそれぞれ溝５ａが形成されている。これらの溝５ａは、プレート本体４の中心線Ｃを挟んで左右両側の溝底５ｂが中央の開口６に向かって下り傾斜している。
【００４１】
一方、プレート本体４の裏面側１０は、中心線Ｃを挟んで左右両側が開口６に向かって下り傾斜している。また、開口６から滴下した油汁が、外周側の加熱源に向かうのを防止するため、開口６の周囲には逆流防止用の突起部１１（第２の油汁逆流防護部）がプレート本体４の裏面から下方に突出形成されている。さらに、円周状の突起部１１の外側には断面ジグザグ状の凹凸部１５（第１の油汁逆流防護部）が開口６を中心として同心状に配置されている。なお、中心線Ｃに沿う表面側の溝５ａは開口６に向かうほど下り傾斜する構成が好ましい。
【００４２】
上記構成においても、天面がフラットで水平な多数のリブ７上で被調理物を加熱調理し、リブ７間の複数の溝５ａに落下した油汁を中央の開口６側に下り傾斜した溝５ａに沿って最低部の開口６に導き、確実に開口６から落下させる。しかも、落下した油汁は、開口６の周囲の突起部１１およびその外側に同心状に形成された凹凸部１５により外周側に逆流するのを防止することができる。
【００４３】
＜第４の実施形態＞
図７は外周側に開口を有する円形の調理用プレートであって、同図（ａ）は表面側の斜視図、（ｂ）は裏面側の斜視図である。この円形の調理用プレート３は、第３の実施形態と同様に、円筒形の外箱の上面開口に載置され、加熱調理器の一部を構成する。円形の調理用プレート３は、プレート本体４の外周側に複数の開口６を有しており、加熱源をプレート本体４の中央に配置した加熱調理器に適用可能である。
【００４４】
プレート本体４は、その中心線Ｃを中心として左右両側が中心線Ｃから外周側に向かって下り傾斜する態様となっている。プレート本体４の調理面４ａには、複数の直線状のリブ７が上方に突出されると共に互いに平行に配列される。各リブ７間にはそれぞれ溝５ａが形成されている。これらの溝５ａは、プレート本体４の中心線Ｃを挟んで左右両側の溝底５ｂが外周側に向かって下り傾斜し、油汁が外周側の長孔状の開口６に流れ落ちる態様となっている。
【００４５】
一方、プレート本体４の裏面側１０は、中心線Ｃを挟んで左右両側が外周側の開口６に向かって下り傾斜している。また、開口６から滴下した油汁が、中心側の加熱源に向かうのを防止するために、外周側よりも中心側に円周状の突起部１１（第２の油汁逆流防護部）が下方に向かって突出形成され、さらに、その内側には断面ジグザグ状の凹凸部１５（第１の油汁逆流防護部）がプレート本体４の中心に対して同心状に形成されている。
【００４６】
上記構成においても、天面がフラットで水平な多数のリブ７上で被調理物を加熱調理し、リブ７間の複数の溝５ａに落下した油汁を外周側の開口６に下り傾斜した溝５ａに沿って外周側の開口６に導き、確実に開口６から落下させる。しかも、落下した油汁は、開口６の内周側に配置された円周状の突起部１１と、その内側に配置された同心状の凹凸部１５により中心側に逆流するのを防止し、中心側に位置する加熱源に油汁が滴下するのを防止することができる。
【００４７】
＜第５の実施形態＞
図８は中央に開口を有する円形の調理用プレートであって、同図（ａ）は表面側の斜視図、（ｂ）は裏面側の斜視図である。この例では、プレート本体４の表面側は、中央の円形状の開口６が最も低い位置になるように、開口６を中心としてすり鉢状に形成される。さらに、プレート本体４の表面側は、中央の開口６を中心として区分線Ｄで区画されるよう３分割され、各領域において、直線状の複数のリブ７が平行に形成される。リブ７の向きは３領域において、それぞれ異なる方向に形成される。また、リブ７は水平でフラットな天面を有し、リブ間に形成された溝５ａの溝底５ｂは、中央の開口６に流れるように下り傾斜した態様となっている。
【００４８】
一方、プレート本体４の裏面側１０は、外周側から中央の開口６に向かって下り傾斜している。また、開口６から滴下した油汁が、外周側の加熱源に向かうのを防止するために、開口６の周囲には円周状の突起部１１（第２の油汁逆流防護部）が下方に突出形成され、さらに、円周状の突起部１１の外側には断面ジグザグ状の凹凸部１５（第１の油汁逆流防護部）が開口６を中心として同心状に形成されている。
【００４９】
上記構成においても、天面がフラットで水平な多数のリブ７上で被調理物を加熱調理し、リブ７間の複数の溝５ａに落下した油汁を下り傾斜した溝５ａに沿って中央の開口６に導き、確実に開口６から落下させる。しかも、落下した油汁は、開口６の外周側に配置された円周状の突起部１１と、その外側に配置された同心状の凹凸部１５により外周側の加熱源に逆流するのを防止することができる。
【００５０】
＜第６の実施形態＞
図９は外側に開口を有する円形の調理用プレートであって、同図（ａ）は表面側の斜視図、（ｂ）は裏面側の斜視図である。この例では、図８に示す実施形態とは逆にプレート本体４の外周側に複数の長孔状の開口６が形成された態様である。プレート本体４の表面側は、中心が最も高いドーム形状に形成される。そして、プレート本体４の表面側は、その中心から区分線Ｄにより３分割され、各領域において、直線状の複数のリブ７が平行に形成される。リブ７の向きは３領域において、それぞれ異なる方向に形成される。また、リブ７は水平でフラットな天面を有し、リブ間に形成された溝５ａの溝底５ｂは、外周側の開口６に流れるように下り傾斜した態様となっている。
【００５１】
一方、プレート本体４の裏面側１０は、中央から外周側に向かって下り傾斜している。また、開口６から滴下した油汁が、中心側の加熱源に向かうのを防止するため、開口６の内周側には円周状の突起部１１（第２の油汁逆流防護部）が下方に突出形成され、さらに、円周状の突起部１１の内側には断面ジグザグ状の凹凸部１５（第１の油汁逆流防護部）がプレート本体の中心に対して同心状に形成されている。
【００５２】
上記構成においても、天面がフラットで水平な多数のリブ７上で被調理物を加熱調理し、リブ７間の複数の溝５ａに落下した油汁を外周側の開口６に溝底５ｂが下り傾斜した溝５ａに沿って外周側の開口６に導き、確実に開口６から落下させる。しかも、落下した油汁は、開口６の内周側に配置された円周状の突起部１１と、その内側に配置された同心状の凹凸部１５により中心側に逆流するのを防止し、中心側に位置する加熱源に油汁が滴下するのを防止することができる。
【００５３】
＜第７の実施形態＞
図１０は中央に開口を有する円形の調理用プレートであって、同図（ａ）は表面側の斜視図、（ｂ）は裏面側の斜視図である。この例では、プレート本体４の表面側は、中央の円形状の開口６を中心としてすり鉢状に形成される。さらに、プレート本体４の表面側は、複数のドット状の突起７０が間隔をおいて形成される。突起７０の天面は水平でフラットな天面を形成するため、中央の開口に向かうほど突起７０の高さが高く形成される。突起７０間に形成された溝５ａの溝底５ｂは、中央の開口６に流れるように下り傾斜した態様となっている。
【００５４】
一方、プレート本体４の裏面側１０は、プレート本体４の外周側から中央の開口６に向かって下り傾斜している。また、開口６から滴下した油汁が、外周側の加熱源に向かうのを防止するため、開口６の周囲には円周状の突起部１１（第２の油汁逆流防護部）が下方に突出形成され、さらに、円周状の突起部１１の外側には断面ジグザグ状の凹凸部１５（第１の油汁逆流防護部）が開口６を中心として同心状に形成されている。
【００５５】
上記構成においても、天面がフラットで水平な多数の突起７０上で被調理物を加熱調理し、突起７０間の複数の溝５ａに落下した油汁を下り傾斜した溝底５ｂに沿って中央の開口６に導き、確実に開口６から落下させる。しかも、落下した油汁は、開口６の外周側に配置された円周状の突起部１１と、その外側に配置された同心状の凹凸部１５により外周側の加熱源に逆流するのを防止することができる。
【００５６】
＜第８の実施形態＞
図１１は外側に開口を有する円形の調理用プレートであって、同図（ａ）は表面側の斜視図、（ｂ）は裏面側の斜視図である。この例では、図１０に示す実施形態とは逆にプレート本体４の外周側に複数の長孔状の開口６が形成された態様である。プレート本体４の表面側は、中心が最も高いドーム形状に形成される。そして、プレート本体４の表面側は、複数のドット状の突起７０が間隔をおいて形成される。複数の突起７０は水平でフラットな天面（調理面）を形成するため、外周側の開口６に向かうほど突起７０の高さが高く形成される。突起７０間に形成された溝５ａの溝底５ｂは、外周側の開口６に流れるように下り傾斜した態様となっている。
【００５７】
一方、プレート本体４の裏面側１０は、中央から外周側に向かって下り傾斜している。また、外周側の開口６から滴下した油汁が、中心側の加熱源に向かうのを防止するため、開口６の内周側には円周状の突起部１１（第２の油汁逆流防護部）が下方に突出形成され、さらに、円周状の突起部１１の内側には断面ジグザグ状の凹凸部１５（第１の油汁逆流防護部）がプレート本体４の中心に対して同心状に形成されている。
【００５８】
上記構成においても、天面がフラットで水平な多数の突起７０上で被調理物を加熱調理し、突起７０間の複数の溝５ａに落下した油汁を外周側の開口６に下り傾斜した溝５ａに沿って外周側の開口６に導き、確実に開口６から落下させる。しかも、落下した油汁は、開口６の内周側に配置された円周状の突起部１１と、その内側に配置された同心状の凹凸部１５により中心側に逆流するのを防止し、中心側に位置する加熱源に油汁が滴下するのを防止することができる。
【００５９】
なお、本発明は上記実施形態に限定されるものではなく、本発明の範囲内で多くの修正・変更を加えることができるのは勿論である。例えば、多数のリブあるいは多数のドット状の突起やこれらの間に形成される溝の配置は、上記実施形態に限定されるものではなく、加熱調理器および調理用プレートの形状によって、種々選択することができる。
【００６０】
また、加熱源として、上記実施形態では、ガスバーナや電熱器を例示したが、これに限らず、木炭等を加熱源としてもよいことは勿論である。この場合、木炭を入れる樋状の収納箱を外箱の外周に設ける、あるいは中央に筒状の木炭収納箱を設け、この収納箱内に油汁が落下しないようにする。これにより、木炭に滴下した油汁が炎を立てて燃え上がることを防ぐことができる。
【符号の説明】
【００６１】
１  加熱調理器
２    外箱
３    調理用プレート
４    プレート本体
４ａ    調理面
４ｂ    載置面
５    溝群
５ａ  溝
６  開口
７  リブ
８  外周溝
９  加熱源
１０  プレート本体の裏面側
１１，１２    突起部（第２の油汁逆流防護部）
１３  脚
１５  凹凸部（第１の油汁逆流防護部）
７０  ドット状の突起
【要約】
【課題】  外観上調理面が水平な調理用プレートにおいて、油汁を効率よく開口から滴下させ、かつ油汁を加熱源に滴下させず、確実に油ドレンパンや水槽に滴下させる。
【解決手段】加熱調理器の外箱の上面開口に載置可能な調理用プレートであって、プレート本体の表面に水平な調理面が形成され、その調理面から一段下がった位置に多数の凹状の溝が連なって溝群が形成され、該溝群の底面の一部に調理面で発生した油汁を油ドレンや水槽等に流れ落とすための開口が形成され、前記溝群の底面は前記開口に向かって下り傾斜しているので、溝群に油汁を滴下することにより、調理面には油汁が残らず、美味しい調理が可能となる。プレート本体の裏面側で加熱源側へ逆流するのを防止するため、油汁逆流防護部を設けているので、開口から滴下した油汁を加熱源側に流れるのを確実に防止できる。
【選択図】図４【図１】
0006841527.tif 000002
【図２】
0006841527.tif 000003
【図３】
0006841527.tif 000004
【図４】
0006841527.tif 000005
【図５】
0006841527.tif 000006
【図６】
0006841527.tif 000007
【図７】
0006841527.tif 000008
【図８】
0006841527.tif 000009
【図９】
0006841527.tif 000010
【図１０】
0006841527.tif 000011
【図１１】
0006841527.tif 000012